(57)【要約】【課題】本発明は、特定のフレーム間ギャップでフレームを送受信した場合における通信機器の動作試験を可能にするＰＣＳ試験装置及びＰＣＳ試験方法の提供を目的とする。【解決手段】本願発明のＰＣＳ試験装置１は、指定されたフレーム間ギャップ、予め定められたプリアンブル及びフレームサイズの和が一定値の整数倍となるようなフレームサイズを算出する演算部１０と、フレーム間ギャップを指定するとともに、演算部１０の算出するフレームサイズの少なくとも１つを選択する指定部１１と、指定部１１の選択するフレームサイズのテストフレームを構成するフレーム構成部１２と、フレーム構成部１２の構成するテストフレームを、指定部１１の指定するフレーム間ギャップで試験対象１００に送信するフレーム送信部１３と、を備える。【選択図】図１
2011151699.tif 000002
【特許請求の範囲】
【請求項１】
指定されたフレーム間ギャップ、予め定められたプリアンブル及びフレームサイズの和が一定値の整数倍となるようなフレームサイズを算出する演算部（１０）と、
前記フレーム間ギャップを指定するとともに、前記演算部の算出するフレームサイズの少なくとも１つを選択する指定部（１１）と、
前記指定部の選択するフレームサイズのテストフレームを構成するフレーム構成部（１２）と、
前記フレーム構成部の構成するテストフレームを、前記指定部の指定するフレーム間ギャップで試験対象（１００）に送信するフレーム送信部（１３）と、
を備えるＰＣＳ（Ｐｈｙｓｉｃａｌ  Ｃｏｄｉｎｇ  Ｓｕｂｌａｙｅｒ）試験装置。
【請求項２】
前記試験対象からのテストフレームを受信し、前記フレーム送信部の送信したテストフレーム数に対する受信したテストフレーム数の割合が予め定められたしきい値を下回ったことをもってエラーと判定する解析部（１４）をさらに備えることを特徴とする請求項１に記載のＰＣＳ試験装置。
【請求項３】
前記演算部は、前記指定部の指定するフレーム間ギャップ、予め定められたプリアンブル及びフレームサイズの和が一定値の整数倍となるようなフレームサイズを複数算出し、
前記指定部は、前記演算部の算出するフレームサイズのうちの複数を指定し、
前記フレーム構成部は、前記指定部の指定する複数のフレームサイズのテストフレームを構成し、
前記フレーム送信部は、前記フレーム構成部の構成するテストフレームの１つを前記指定部の指定するフレーム間ギャップで前記試験対象に送信し、前記解析部が前記エラーと判定すると、前記フレーム構成部の構成するテストフレームのうちのフレームサイズの異なるテストフレームを、前記指定部の指定するフレーム間ギャップで前記試験対象に送信する
ことを特徴とする請求項２に記載のＰＣＳ試験装置。
【請求項４】
前記指定部は、テストフレームを送信するフレーム数をさらに指定し、
前記フレーム送信部は、前記フレーム構成部からのテストフレームを、前記指定部の指定する前記フレーム数にわたり前記試験対象に送信することを特徴とする請求項１から３のいずれかに記載のＰＣＳ試験装置。
【請求項５】
前記演算部は、前記指定部の指定するフレーム間ギャップ、予め定められたプリアンブル及びフレームサイズの和が一定値の整数倍となるようなフレームサイズを複数算出し、
前記指定部は、前記演算部の算出する複数のフレームサイズを指定し、
前記フレーム構成部は、前記指定部の指定する複数のフレームサイズのテストフレームを構成し、
前記フレーム送信部は、前記フレーム構成部の構成する各フレームサイズのテストフレームを、前記指定部の指定する前記フレーム数ずつ、前記指定部の指定するフレーム間ギャップで前記試験対象に送信する
ことを特徴とする請求項４に記載のＰＣＳ試験装置。
【請求項６】
フレーム間ギャップを指定し、指定したフレーム間ギャップ、予め定められたプリアンブル及びフレームサイズの和が一定値の整数倍となるようなフレームサイズのうちの少なくとも１つを指定する指定手順（Ｓ１０１）と、
前記指定手順で指定したフレームサイズのテストフレームを構成し、構成したテストフレームを前記指定手順で指定したフレーム間ギャップで試験対象（１００）に送信するフレーム送信手順（Ｓ１０２）と、
を順に有するＰＣＳ試験方法。
【請求項７】
前記試験対象からのテストフレームを受信し、前記フレーム送信手順で送信したテストフレーム数に対する受信したテストフレーム数の割合が予め定められたしきい値を下回ったことをもってエラーと判定する解析手順（Ｓ１０３）を前記フレーム送信手順の後にさらに有することを特徴とする請求項６に記載のＰＣＳ試験方法。
【請求項８】
前記指定手順において、指定したフレーム間ギャップ、予め定められたプリアンブル及びフレームサイズの和が一定値の整数倍となるようなフレームサイズのうちの複数を指定し、
前記フレーム送信手順において、前記指定手順で指定した複数のフレームサイズのテストフレームを構成し、構成したテストフレームの１つを前記指定手順で指定したフレーム間ギャップで前記試験対象に送信し、
前記解析手順において前記エラーと判定すると、前記フレーム送信手順で構成した複数のテストフレームのうちのフレームサイズの異なるテストフレームに変更して前記フレーム送信手順に移行するフレームサイズ変更手順（Ｓ１２３）を、
前記解析手順の後にさらに有する
ことを特徴とする請求項７に記載のＰＣＳ試験方法。
【請求項９】
前記指定手順において、テストフレームを送信するフレーム数をさらに指定し、
前記フレーム送信手順において、構成したテストフレームを、前記指定手順で指定した前記フレーム数にわたり前記試験対象に送信する
ことを特徴とする請求項６から８のいずれかに記載のＰＣＳ試験方法。
【請求項１０】
前記指定手順において、指定したフレーム間ギャップ、予め定められたプリアンブル及びフレームサイズの和が一定値の整数倍となるようなフレームサイズのうちの複数を指定し、
前記フレーム送信手順において、前記指定手順で指定した各フレームサイズのテストフレームを、前記指定手順で指定した前記フレーム数ずつ、前記指定手順で指定したフレーム間ギャップで前記試験対象に送信する
ことを特徴とする請求項９に記載のＰＣＳ試験方法。
【発明の詳細な説明】
【技術分野】
【０００１】
本発明は、ＰＣＳ（Ｐｈｙｓｉｃａｌ  Ｃｏｄｉｎｇ  Ｓｕｂｌａｙｅｒ）試験装置及びＰＣＳ試験方法に関し、特にフレーム間ギャップによって生じるエラーの試験を行うためのＰＣＳ試験装置及びＰＣＳ試験方法に関する。
【背景技術】
【０００２】
スイッチやルータなどの通信機器の動作を試験するネットワーク試験装置が提案されている（例えば、特許文献１参照。）。特許文献１に記載されているネットワーク試験装置は、試験用パケットを生成して試験対象に送出するか、試験用パケットを取得して試験対象に送出する。
【０００３】
一方で、受信したフレームのフレーム間ギャップの大きさの平均値を算出し、算出した平均値に基づいて送信するフレ−ムの各フレーム間ギャップの大きさを平均化する光伝送装置が提案されている（例えば、特許文献２参照。）。これにより、通信機器がフレームを受信するタイミングが通信機器のフレーム処理能力を超えてしまうことを防いでいる。
【先行技術文献】
【特許文献】
【０００４】
【特許文献１】特開２０００−１７４７９５号公報
【特許文献２】特開２００９−１２４４４６号公報
【発明の概要】
【発明が解決しようとする課題】
【０００５】
通信機器の動作が高速になり、フレーム間ギャップによってはＰＣＳ（Ｐｈｙｓｉｃａｌ  Ｃｏｄｉｎｇ  Ｓｕｂｌａｙｅｒ）でエラーが生じ、通信機器でフレームを受信できない場合が生じつつある。ここで、ＰＣＳは、ＩＥＥＥ８０２．３にて規定されている物理的なコーディングのサブレイヤである。このため、フレーム間ギャップを変化させたときの通信機器の動作試験が求められている。
【０００６】
特許文献１に記載されたネットワーク試験装置では、フレーム間ギャップの設定については考慮されていない。また、特許文献２に記載された光伝送装置は、フレーム間ギャップを変動させることでフレーム間ギャップを平均化するため、特定のフレーム間ギャップでの通信機器の動作試験を行えない。
【０００７】
そこで、本発明は、特定のフレーム間ギャップでフレームを送受信した場合における通信機器の動作試験を可能にするＰＣＳ試験装置及びＰＣＳ試験方法の提供を目的とする。
【課題を解決するための手段】
【０００８】
上記目的を達成するために、本願発明のＰＣＳ試験装置及びＰＣＳ試験方法は、テストフレームのフレーム間ギャップを指定可能にしたことを特徴とする。
【０００９】
具体的には、本願発明のＰＣＳ試験装置は、指定されたフレーム間ギャップ、予め定められたプリアンブル及びフレームサイズの和が一定値の整数倍となるようなフレームサイズを算出する演算部（１０）と、前記フレーム間ギャップを指定するとともに、前記演算部の算出するフレームサイズの少なくとも１つを選択する指定部（１１）と、前記指定部の選択するフレームサイズのテストフレームを構成するフレーム構成部（１２）と、前記フレーム構成部の構成するテストフレームを、前記指定部の指定するフレーム間ギャップで試験対象（１００）に送信するフレーム送信部（１３）と、を備える。
【００１０】
指定した任意のフレーム間ギャップでテストフレームを試験対象に送信することができるため、特定のフレーム間ギャップでフレームを送受信した場合における通信機器の動作試験を行うことができる。ここで、フレーム間ギャップ、プリアンブル及びフレームサイズの和が一定値の整数倍となるようなフレームサイズを算出するため、ＩＥＥＥ８０２．３に適合したフレームサイズのテストフレームを送信することができる。これにより、ＩＥＥＥ８０２．３に適合したＰＣＳの試験を行うことができる。
【００１１】
本願発明のＰＣＳ試験装置では、前記試験対象からのテストフレームを受信し、前記フレーム送信部の送信したテストフレーム数に対する受信したテストフレーム数の割合が予め定められたしきい値を下回ったことをもってエラーと判定する解析部（１４）をさらに備えてもよい。
解析部を備えるため、指定したフレーム間ギャップで送信されたテストフレームを試験対象が受信できるか否かを判定することができる。
【００１２】
本願発明のＰＣＳ試験装置では、前記演算部は、前記指定部の指定するフレーム間ギャップ、予め定められたプリアンブル及びフレームサイズの和が一定値の整数倍となるようなフレームサイズを複数算出し、前記指定部は、前記演算部の算出するフレームサイズのうちの複数を指定し、前記フレーム構成部は、前記指定部の指定する複数のフレームサイズのテストフレームを構成し、前記フレーム送信部は、前記フレーム構成部の構成するテストフレームの１つを前記指定部の指定するフレーム間ギャップで前記試験対象に送信し、前記解析部が前記エラーと判定すると、前記フレーム構成部の構成するテストフレームのうちのフレームサイズの異なるテストフレームを、前記指定部の指定するフレーム間ギャップで前記試験対象に送信してもよい。
エラーが発生すると異なるフレームサイズで試験を開始するため、エラーが発生するフレーム数をテストフレームのフレームサイズごとに検出することができる。
【００１３】
本願発明のＰＣＳ試験装置では、前記指定部は、テストフレームを送信するフレーム数をさらに指定し、前記フレーム送信部は、前記フレーム構成部からのテストフレームを、前記指定部の指定する前記フレーム数にわたり前記試験対象に送信してもよい。
テストフレームのフレーム数を指定することで、試験対象に加える負荷の量を増減することができる。
【００１４】
本願発明のＰＣＳ試験装置では、前記演算部は、前記指定部の指定するフレーム間ギャップ、予め定められたプリアンブル及びフレームサイズの和が一定値の整数倍となるようなフレームサイズを複数算出し、前記指定部は、前記演算部の算出する複数のフレームサイズを指定し、前記フレーム構成部は、前記指定部の指定する複数のフレームサイズのテストフレームを構成し、前記フレーム送信部は、前記フレーム構成部の構成する各フレームサイズのテストフレームを、前記指定部の指定する前記フレーム数ずつ、前記指定部の指定するフレーム間ギャップで前記試験対象に送信してもよい。
複数のフレームサイズのテストフレームを指定されたフレーム数ずつ送信するため、フレームサイズごとのエラーの発生率を比較することができる。
【００１５】
具体的には、本願発明のＰＣＳ試験方法は、フレーム間ギャップを指定し、指定したフレーム間ギャップ、予め定められたプリアンブル及びフレームサイズの和が一定値の整数倍となるようなフレームサイズのうちの少なくとも１つを指定する指定手順（Ｓ１０１）と、前記指定手順で指定したフレームサイズのテストフレームを構成し、構成したテストフレームを前記指定手順で指定したフレーム間ギャップで試験対象（１００）に送信するフレーム送信手順（Ｓ１０２）と、を順に有する。
【００１６】
指定した任意のフレーム間ギャップでテストフレームを試験対象に送信することできるため、特定のフレーム間ギャップでフレームを送受信した場合における通信機器の動作試験を行うことができる。ここで、フレーム間ギャップ、プリアンブル及びフレームサイズの和が一定値の整数倍となるようなフレームサイズを算出するため、ＩＥＥＥ８０２．３に適合したフレームサイズのテストフレームを送信することができる。これにより、ＩＥＥＥ８０２．３に適合したＰＣＳの試験を行うことができる。
【００１７】
本願発明のＰＣＳ試験方法では、前記試験対象からのテストフレームを受信し、前記フレーム送信手順で送信したテストフレーム数に対する受信したテストフレーム数の割合が予め定められたしきい値を下回ったことをもってエラーと判定する解析手順（Ｓ１０３）を前記フレーム送信手順の後にさらに有してもよい。
解析手順を有するため、指定したフレーム間ギャップで送信されたテストフレームを試験対象が受信できるか否かを判定することができる。
【００１８】
本願発明のＰＣＳ試験方法では、前記指定手順において、指定したフレーム間ギャップ、予め定められたプリアンブル及びフレームサイズの和が一定値の整数倍となるようなフレームサイズのうちの複数を指定し、前記フレーム送信手順において、前記指定手順で指定した複数のフレームサイズのテストフレームを構成し、構成したテストフレームの１つを前記指定手順で指定したフレーム間ギャップで前記試験対象に送信し、前記解析手順において前記エラーと判定すると、前記フレーム送信手順で構成した複数のテストフレームのうちのフレームサイズの異なるテストフレームに変更して前記フレーム送信手順に移行するフレームサイズ変更手順（Ｓ１２３）を、前記解析手順の後にさらに有してもよい。
異なるフレームサイズで試験を開始するため、エラーが発生するフレーム数をテストフレームのフレームサイズごとに検出することができる。
【００１９】
本願発明のＰＣＳ試験方法では、前記指定手順において、テストフレームを送信するフレーム数をさらに指定し、前記フレーム送信手順において、構成したテストフレームを、前記指定手順で指定した前記フレーム数にわたり前記試験対象に送信してもよい。
テストフレームのフレーム数を指定することで、試験対象に加える負荷の量を増減することができる。
【００２０】
本願発明のＰＣＳ試験方法では、前記指定手順において、指定したフレーム間ギャップ、予め定められたプリアンブル及びフレームサイズの和が一定値の整数倍となるようなフレームサイズのうちの複数を指定し、前記フレーム送信手順において、前記指定手順で指定した各フレームサイズのテストフレームを、前記指定手順で指定した前記フレーム数ずつ、前記指定手順で指定したフレーム間ギャップで前記試験対象に送信してもよい。
複数のフレームサイズのテストフレームを指定されたフレーム数ずつ送信するため、フレームサイズごとのエラーの発生率を比較することができる。
【００２１】
なお、上記各発明は、可能な限り組み合わせることができる。
【発明の効果】
【００２２】
本発明によれば、特定のフレーム間ギャップでフレームを送受信した場合における通信機器の動作試験を可能にするＰＣＳ試験装置及びＰＣＳ試験方法を提供することができる。
【図面の簡単な説明】
【００２３】
【図１】実施形態１に係るＰＣＳ試験装置の一例を示す。
【図２】実施形態１に係るＰＣＳ試験方法の一例を示すフローチャートである。
【図３】フレーム間ギャップの一例を示す。
【図４】解析結果の一例を示す。
【図５】実施形態２に係るＰＣＳ試験方法の一例を示すフローチャートである。
【発明を実施するための形態】
【００２４】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２５】
（実施形態１）
図１に、実施形態１に係るＰＣＳ試験装置の一例を示す。ＰＣＳ試験装置１は、試験対象１００にテストフレームを送信し、試験対象１００から送信されたテストフレームを受信して解析する。これにより、試験対象１００のＰＣＳ試験を行う。試験対象１００は、スイッチやルータなどのＩＥＥＥ８０２．３に準拠した通信機器である。
【００２６】
ＰＣＳ試験装置１は、指定部１１と、フレーム構成部１２と、フレーム送信部１３と、解析部１４と、表示部１５と、演算部１０と、を備える。演算部１０は、指定部１１、フレーム構成部１２、フレーム送信部１３及び解析部１４の制御を行ってもよい。
【００２７】
図２は、実施形態１に係るＰＣＳ試験方法の一例を示すフローチャートである。本実施形態に係るＰＣＳ試験方法は、指定手順Ｓ１０１と、フレーム送信手順Ｓ１０２と、解析手順Ｓ１０３と、を順に有する。
【００２８】
図２に示す指定手順Ｓ１０１では、指定部１１が、フレーム間ギャップを指定する。フレーム間ギャップは、設定された値であってもよいし、任意の値であってもよい。フレーム間ギャップが設定された値の場合、演算部１０が予め記憶されているフレーム間ギャップを表示部１５に表示する。そして、ＰＣＳ試験装置１の使用者は、指定部１１を用いて、表示部１５に表示されたフレーム間ギャップうちの１つ以上のフレーム間ギャップを指定する。フレーム間ギャップが任意の値の場合、ＰＣＳ試験装置１の使用者は、指定部１１を用いて所望のフレーム間ギャップを入力する。
【００２９】
図３に、フレーム間ギャップの一例を示す。フレーム送信部１３が、フレーム５２ａの次にフレーム５２ｂを送信する場合、フレーム５２ａの末尾とフレーム５２ｂのプリアンブル５１ｂの先頭との時間間隔がフレーム間ギャップ５３となる。フレーム間ギャップ５３は、任意の数値とすることができるが、例えば、１２ｂｙｔｅ、１６ｂｙｔｅである。フレーム５２ａ及びフレーム５２ｂのフレームサイズは、例えば、６４ｂｙｔｅ以上１５１８ｂｙｔｅである。フレーム間ギャップ５３は、例えば、９ｂｙｔｅ以上２０ｂｙｔｅ以下である。
【００３０】
図２に示す指定手順Ｓ１０１において、指定部１１はフレームサイズを指定してもよい。この場合、演算部１０が、指定部１１の指定するフレーム間ギャップ、予め定められたプリアンブル及びフレームサイズの和が一定値の整数倍となるようなフレームサイズを算出する。ここで、一定値とは、例えばＩＥＥＥ８０２．３に規定されている制約である。例えば、ギガビットイーサネット（登録商標）では一定値は２であり、１０ギガビットイーサネット（登録商標）では一定値は４であり、４０及び１００ギガビットイーサネット（登録商標）では一定値は８である。
【００３１】
例えば、１００ギガビットイーサネット（登録商標）では、一定値は８となる。この場合に、フレーム間ギャップが１２ｂｙｔｅ、予め定められたプリアンブルが８ｂｙｔｅであれば、演算部１０が算出するフレームサイズは、６８、４７６、９００、１４７６となる。表示部１５は、演算部１０の算出するフレームサイズを表示する。ＰＣＳ試験装置１の使用者が指定部１１を用いて所望のフレームサイズを１つ以上指定する。これにより、指定部１１が、演算部１０の算出するフレームサイズの少なくとも１つを選択する。
【００３２】
図２に示すフレーム送信手順Ｓ１０２では、フレーム構成部１２が、テストフレームを構成する。指定部１１がフレームサイズを選択した場合、フレーム構成部１２は、指定部１１の選択するフレームサイズのテストフレームを構成する。次に、フレーム送信部１３が、フレーム構成部１２の構成するテストフレームを、指定部１１の指定するフレーム間ギャップで試験対象１００に送信する。
【００３３】
図２に示す解析手順Ｓ１０３では、解析部１４が、試験対象１００からのテストフレームを受信し、フレーム送信部１３の送信したテストフレーム数に対する受信したテストフレーム数の割合が予め定められたしきい値を下回るか否かを判定し、下回ったことをもってエラーと判定する。
【００３４】
図４に、解析結果の一例を示す。Ｐ１１〜Ｐ４６は、フレーム送信部１３の送信したテストフレーム数に対する受信したテストフレーム数の割合を示す。例えば、フレームサイズ「６８ｂｙｔｅ」を指定したときに、フレーム送信部１３の送信したテストフレーム数「５０」に対する受信したテストフレーム数の割合がＰ１１であるとする。このときに、Ｐ１１が予め定められたしきい値を下回った場合、解析部１４がエラーと判定する。図４では、フレーム間ギャップを固定して、フレーム数とフレームサイズを変更する例を示したが、種々のフレーム間ギャップについて同様の解析を行ってもよい。
【００３５】
なお、図２に示すフローチャートをコンピュータに実行させることで、実施形態１に係るＰＣＳ試験装置を実現してもよい。
【００３６】
（実施形態２）
本実施形態に係るＰＣＳ試験装置及びＰＣＳ試験方法は、エラー及びフレーム数に応じてフレームサイズを変更する。図５は、実施形態２に係るＰＣＳ試験方法の一例を示すフローチャートである。本実施形態に係るＰＣＳ試験方法は、解析手順Ｓ１０３の後に、フレームサイズ変更判定手順Ｓ１２１、終了判定手順Ｓ１２２及びフレームサイズ変更手順Ｓ１２３を有する。以下、本実施形態に係るＰＣＳ試験装置及びＰＣＳ試験方法について具体的に説明する。
【００３７】
図５に示す指定手順Ｓ１０１では、実施形態１で説明した指定手順Ｓ１０１と同様の手順を実行し、指定部１１が、演算部１０の算出するフレームサイズのうちの複数を指定する。例えば、演算部１０の算出するフレームサイズが６８、４７６、９００、１４７６である場合、ＰＣＳ試験装置１の使用者が指定部１１を用いて所望のフレームサイズを２つ以上指定する。これにより、指定部１１は、６８及び９００のフレームサイズを指定する。
【００３８】
図５に示すフレーム送信手順Ｓ１０２では、フレーム送信部１３が、フレーム構成部１２の構成するテストフレームの１つを指定部１１の指定するフレーム間ギャップで試験対象１００に送信する。
【００３９】
図５に示すフレームサイズ変更判定手順Ｓ１２１では、解析部１４がエラーを検出したか否かを、演算部１０が判定する。また、フレームサイズ変更判定手順Ｓ１２１では、フレーム送信部１３が送信したテストフレームを数え、送信済みのテストフレームが指定部１１の指定するフレーム数に達したか否かを判定する。エラーを検出するか又はフレーム数に達している場合は終了判定手順Ｓ１２２に移行し、エラーを検出せずかつ指定したフレーム数に達していない場合はフレーム送信手順Ｓ１０２に移行する。
【００４０】
フレーム送信手順Ｓ１０２及びフレームサイズ変更判定手順Ｓ１２１を繰り返すことで、フレーム送信部１３が、フレーム構成部１２からのテストフレームを、指定部１１の指定するフレーム数にわたり試験対象１００に送信することができる。
【００４１】
図５に示す終了判定手順Ｓ１２２では、指定部１１の指定した全フレームサイズについてテストフレームの送信が完了したか否かを判定する。全フレームサイズについてテストフレームの送信が完了していなければフレームサイズ変更手順Ｓ１２３に移行し、全フレームサイズについてテストフレームの送信が完了した場合はＰＣＳ試験方法を終了する。
【００４２】
図５に示すフレームサイズ変更手順Ｓ１２３では、フレーム構成部１２の構成する複数のテストフレームのうちのフレームサイズの異なるテストフレームに変更してフレーム送信手順Ｓ１０２に移行する。
【００４３】
図５に示すフレーム送信手順Ｓ１０２では、フレーム送信部１３は、フレーム構成部１２の構成するテストフレームのうちのフレームサイズの異なるテストフレームを、指定部１１の指定するフレーム間ギャップで試験対象１００に送信する。
【００４４】
図５に示すフレーム送信手順Ｓ１０２、フレームサイズ変更判定手順Ｓ１２１及びフレームサイズ変更手順Ｓ１２３を繰り返すことで、フレーム送信部１３は、フレーム構成部１２の構成する各フレームサイズのテストフレームを、指定部１１の指定するフレーム数ずつ、指定部１１の指定するフレーム間ギャップで試験対象１００に送信することができる。
【００４５】
なお、図５に示すフローチャートをコンピュータに実行させることで、実施形態２に係るＰＣＳ試験装置を実現してもよい。
【産業上の利用可能性】
【００４６】
本発明は情報通信産業に利用することができる。
【符号の説明】
【００４７】
１：ＰＣＳ試験装置
１０：演算部
１１：指定部
１２：フレーム構成部
１３：フレーム送信部
１４：解析部
１５：表示部
５１ａ、５１ｂ：プリアンブル
５２ａ、５２ｂ：フレーム
５３：フレーム間ギャップ
１００：試験対象
【図１】
2011151699.tif 000003
【図２】
2011151699.tif 000004
【図３】
2011151699.tif 000005
【図４】
2011151699.tif 000006
【図５】
2011151699.tif 000007